(57)【要約】【課題】  取出ロータの表面にインク等が付着しても、次に取り出す紙葉類に転写することのないようにする。【解決手段】  紙葉類Ｐの積層方向先端面に接触し回転することにより、紙葉類Ｐを一枚ずつ取り出す取出ロータ１と、この取出ロータ１に接触し取出ロータ１上の汚れを除去するクリーニングテープ３と、このクリーニングテープ３を移送するテープ送出部５及びテープ巻取部４とを具備する。【選択図】      図１
2006096478.tif 000002
【特許請求の範囲】
【請求項１】
紙葉類の積層方向先端面に接触し回転することにより、紙葉類を一枚ずつ取り出す取出手段と、
この取出手段に接触し前記取出手段上の汚れを除去するテープ状の除去部材と、
この除去部材を移送する移送手段と
を具備することを特徴とする紙葉類取出装置。
【請求項２】
前記移送手段は、前記除去部材を前記取出手段の回転に基づいて所定速度で移送することを特徴とする請求項１記載の紙葉類取出装置。
【請求項３】
前記移送手段は、前記除去部材を送出す送出部と、この送出部によって送出される除去部材を巻き取る巻取部とを有して構成されることを特徴とする請求項１記載の紙葉類取出装置。
【請求項４】
前記巻取部は、前記送出部の送出動作に基づいて前記除去部材を巻き取ることを特徴とする請求項３記載の紙葉類取出装置。
【請求項５】
前記送出部における除去部材の残量を検出する残量検出手段と、
前記巻取部における除去部材の巻取量を検出する巻取量検出手段と、
を具備することを特徴とする請求項１記載の紙葉類取出装置。
【請求項６】
前記取出手段と除去部材はその接触部において互いに逆方向に移動することを特徴とする請求項１記載の紙葉類取出装置。
【発明の詳細な説明】
【技術分野】
【０００１】
本発明は、例えば、紙幣等の紙葉類を一枚ずつ取り出す紙葉類取出装置に関する。
【背景技術】
【０００２】
この種の紙葉類取出装置には取出ロータを備え、この取出ロータに積層紙葉類の上面部を接触させ、前記取出ロータの回転により紙葉類を一枚ずつ取り出すものが知られている（例えば、特許文献１参照。）。
【０００３】
ところで、紙葉類がインク等で印刷されて日数が経過していないものである場合には、インクが柔らかい状態になっているため、紙葉類の取出時に取出ロータと紙葉類とが摺接すると、紙葉類のインクが取出ロータの表面に付着してしまうことがある。
【特許文献１】特開２００４−１３７０５３号公報
【発明の開示】
【発明が解決しようとする課題】
【０００４】
しかしながら、従来においては、取出ロータの表面に付着したインク等が次の紙葉類の取出時に転写され、次の紙葉類を汚してしまうという問題があった。
【０００５】
本発明は上記事情に着目してなされたもので、その目的とするところは、取出手段の表面にインク等が付着しても、次に取り出す紙葉類にインク等を転写することのないようにした紙葉類取出装置を提供することにある。
【課題を解決するための手段】
【０００６】
上記課題を解決するため、請求項１記載のものは、紙葉類の積層方向先端面に接触し回転することにより、紙葉類を一枚ずつ取り出す取出手段と、この取出手段に接触し前記取出手段上の汚れを除去するテープ状の除去部材と、この除去部材を移送する移送手段とを具備する。
【発明の効果】
【０００７】
本発明によれば、取出手段の表面に付着したインク等の汚れを除去部材によって除去でき、次に取り出す紙葉類にインク等を転写して汚してしまうことがない。
【発明を実施するための最良の形態】
【０００８】
以下、本発明を図面に示す実施の形態を参照して詳細に説明する。  
図１は本発明の一実施の形態である紙葉類取出装置を示す概略的構成図である。
【０００９】
紙葉類取出装置は取出手段としての取出ロータ１を備え、この取出ロータ１は第１の駆動機構（図２に示す）２によって矢印で示す方向（反時計方向）に回転駆動されるようになっている。取出ロータ１の下方部には、インク等で印刷された日数が経過しない真新しい紙葉類Ｐが例えば１０００枚、長辺及び短辺が揃えられ、積層された状態で設けられている。積層紙葉類Ｐはバックアッププレート６上に設けられている。取出ロータ１はその周面一部に吸着部（図示しない）を有し、この吸着部により最上位の紙葉類を吸着して回転することにより一枚ずつ取り出すようになっている。なお、積層紙葉類Ｐの取出方向は、例えば、紙葉類Ｐの長辺に沿った方向である。
【００１０】
ところで、取出ロータ１の上面部にはテープ状の除去部材としてのクリーニングテープ３が接触されている。このクリーニングテープ３は、移送手段としてのテープ巻取部４とテープ送出部５との間に掛け渡されている。テープ送出部５は、パルスモータなどの第２の駆動機構（図２に示す）７により取出ロータ１とは関係なく任意の速度で回転駆動されてクリーニングテープ３を送出すようになっている。テープ巻取部４はテープ送出部５に連動して駆動され、クリーニングテープ３を巻き取るようになっている。
【００１１】
なお、紙葉類Ｐの幅寸法は例えば７６ｍｍ，取出ロータ１の幅寸法は４０ｍｍ，クリーニングテープ３の幅寸法は５０ｍｍとなっている。
【００１２】
取出ロータ１とテープ巻取部４との間にはテンションローラ８が設けられている。テンションローラ８は押圧バネ９の押付力によってクリーニングテープ３に押し付けられている。これにより、クリーニングテープ３にテンションが付与され、取出ロータ１に対しクリーニングテープ３が最適な接触圧で接触するようになっている。
【００１３】
一方、テープ送出部５の近傍には、使用前のクリーニングテープ３の残量を検出するテープ残量検出部１１が設けられている。また、使用済みクリーニングテープ３を巻き取るテープ巻取部４の近傍には、使用後のクリーニングテープ３の満杯を検出する満杯検出部１２が設けられている。
【００１４】
テープ残量検出部１１及び満杯検出部１２は発光素子１１ａ，１２ａと受光素子１２ａ，１２ｂとによって構成される光電式センサで、明暗を検出することで所定の制御を行う。
【００１５】
図２は上記した取出ロータ１及びテープ送出部５の駆動制御系を示すブロック図である。
【００１６】
上記したテープ残量検出部１１及び満杯検出部１２、また、操作部１４は信号回路を介して制御部１５に接続されている。制御部１５には制御回路を介して上記した第１の駆動機構２及び第２の駆動機構７が接続されている。
【００１７】
操作部１４により紙葉類取出信号が送信されると、制御部１５により第１及び第２の駆動機構２，７が動作されて取出ロータ１及びテープ送出部５が回転駆動されるようになっている。
【００１８】
また、制御部１５はテープ残量検出部１１がテープ残量が所定量以下であること、或いは満杯検出部１２がテープが満杯になったことを検知したのに基づいてテープ巻取部４及びテープ送出部５の回転を停止させるようになっている。
【００１９】
次に、紙葉類の取出動作について説明する。
【００２０】
取出ロータ１に吸引力が付与されて回転されると、積層紙葉類の最上位のものが取出ロータ１の吸着部に吸着されて取り出される。この取り出された紙葉類は図示しない判別部に搬送されて真偽、種類等が判別され、その判別結果に基づいて区分処理される。
【００２１】
ところで、この紙葉類の取出時には、紙葉類のインクが柔らかいため、取出ロータ１の表面に紙葉類のインクが付着してしまうが、この付着したインクは取出ロータ１の回転によりクリーニングテープ３側に送られて摺接されることによりクリーニングテープ３によって除去される。
【００２２】
また、クリーニングテープ３はテープ送出部５とテープ巻取部４の回転によって所定速度で巻き取られ、取出ロータ１に対し常に新しい部分を摺接させて取出ロータ１上のインク汚れを除去する。
【００２３】
一方、テープ送出部５からクリーニングテープ３が送出されてクリーニングテープ３の残量が低下し、発光素子１１ａから発光された光が受光素子１１ｂに受光されると、制御部１５によりクリーニングテープ３の残量が所定量以下（ニアエンド或いはエンド）になったと判別される。この判別に基づいて第１及び第２の駆動機構２，７の駆動が停止されて取出ロータ１及びテープ送出部５の回転駆動が停止される。  
上記したように、この実施の形態によれば、取出ロータ１の表面に付着するインクなどの汚れはクリーニングテープ３によって除去するため、次に取り出される紙葉類の表面に取出ロータ１上のインクを転写してしまうようなことがなく、紙葉類表面の汚れを確実に防止することができる。
【００２４】
また、クリーニングテープ３のテープ送出部５における巻径を変更することにより、クリーニングテープ３のクリーニング可能時間を任意に設定することができる。
【００２５】
さらに、テープ送出部５におけるクリーニングテープ３の残量を検出するテープ残量検出部１１を備えるため、クリーニングテープ３のニアエンド或いはエンドを検出でき、クリーニングテープ３を交換すべきことを迅速に知らせることが可能となる。
【００２６】
また、テープ巻取部４におけるクリーニングテープ３の満杯を検出するテープ満杯検出部１２を備えるため、テープ巻取部４の周辺に配設される例えばローラなどの部材に対して巻取りテープが衝突する前にクリーニングテープ３の巻取りを停止させることができる。
【００２７】
さらに、クリーニングテープ３を移送して常に新しい部分を取出ロータ１の表面に接触させるため、クリーニングテープ３のクリーニング性能を良好に維持できるとともに、その破れを防止することが可能となる。
【００２８】
なお、本発明は、上記一実施の形態に限られることなく、その要旨の範囲内で種々変形実施可能なことは勿論である。
【図面の簡単な説明】
【００２９】
【図１】本発明の一実施の形態である紙葉類取出装置を示す概略的構成図。
【図２】同紙葉類取出装置の駆動制御系を示すブロック図。
【符号の説明】
【００３０】
Ｐ…紙葉類、１…取出ロータ（取出手段）、３…クリーニングテープ（除去部材）、５…テープ送出部（移送手段）、４…テープ巻取部（移送手段）、１１…残量検出手段、１２…巻取量検出手段。
【図１】
2006096478.tif 000003
【図２】
2006096478.tif 000004